(57)【要約】【課題】軟質性紐状体に収容された磁石に対して正確な着磁方向で着磁を行うことが可能になり、また、捻じれを抑制した軟質性紐状体の成形を可能にする。【解決手段】軟質性紐状体は、長手方向に延びる第１紐状部材と第２紐状部材とを接合した接合体であり、軟質性紐状体の一端側および他端側には、第１クラスプ部および第２クラスプ部がそれぞれ形成され、第１クラスプ部および第２クラスプ部のうち、少なくともいずれか一方には、第１クラスプ部と第２クラスプ部とを脱着自在に係着させる係着手段が形成され、第１紐状部材の一端側および他端側のうち少なくとも一方、または第１クラスプ部および第２クラスプ部のうち少なくとも一方には、磁石の収容方向、または磁石の主たる磁束線の方向を表示するための位置決め形状部が形成されている。【選択図】図６
2019071953.tif 000002
【特許請求の範囲】
【請求項１】
長手方向に延びた軟質性紐状体と、前記軟質性紐状体の内部に収容されている磁石とを有する磁気治療具であって、
前記軟質性紐状体は、長手方向に延びる第１紐状部材と第２紐状部材とを接合した接合体であり、
前記軟質性紐状体の一端側および他端側には、第１クラスプ部および第２クラスプ部がそれぞれ形成され、
前記第１クラスプ部および前記第２クラスプ部のうち、少なくともいずれか一方には、前記第１クラスプ部と前記第２クラスプ部とを脱着自在に係着させる係着手段が形成され、
前記第１紐状部材の一端側および他端側のうち少なくとも一方、または前記第１クラスプ部および前記第２クラスプ部のうち少なくとも一方には、前記磁石の収容方向、または前記磁石の主たる磁束線の方向を表示するための位置決め形状部が形成されていることを特徴とする磁気治療具。
【請求項２】
前記位置決め形状部は、凹部、貫通孔、および平坦面のいずれかであることを特徴とする請求項１記載の磁気治療具。
【請求項３】
前記軟質性紐状体に形成された前記位置決め形状部のうち、前記軟質性紐状体の外面に露出する部分は、前記第１クラスプ部または前記第２クラスプ部によって覆われていることを特徴とする請求項１または２記載の磁気治療具。
【請求項４】
前記第１クラスプ部および前記第２クラスプ部の外面を覆う外装体を更に備え、前記外装体は、前記第１クラスプ部および前記第２クラスプ部のうち少なくとも一方に形成された前記位置決め形状部のうち外面に露出する部分を覆うことを特徴とする請求項１または２記載の磁気治療具。
【請求項５】
前記位置決め形状部を成す前記凹部の深さ方向、前記貫通孔の貫通方向、前記平坦面の面方向は、それぞれ前記磁石の収容方向、または前記磁石の主たる磁束線の方向に対して平行、または直角を成すことを特徴とする請求項２ないし４いずれか一項記載の磁気治療具。
【請求項６】
前記磁石は異方性磁石であることを特徴とする請求項１ないし５いずれか一項記載の磁気治療具。
【請求項７】
請求項１ないし６いずれか一項記載の磁気治療具の製造方法であって、
前記第１クラスプ部および前記第２クラスプ部のうち、少なくともいずれか一方に前記位置決め形状部が形成された前記軟質性紐状体に内蔵された前記磁石に対して着磁を行う着磁工程を有し、
前記着磁工程は、前記位置決め形状部と当接可能な着磁位置固定形状部を備えた着磁器の前記着磁位置固定形状部に対して、前記位置決め形状部を当接させてから着磁することを特徴とする磁気治療具の製造方法。
【請求項８】
請求項１ないし６いずれか一項記載の磁気治療具の製造方法であって、
一端側および他端側のうち少なくとも一方に前記位置決め形状部が形成された第１紐状部材に前記磁石を配置してから前記第２紐状部材を成形する第２紐状部材成形工程を有し、
前記第２紐状部材成形工程は、前記第２紐状部材の成形形状を備えた金型に設けられた、前記位置決め形状部と当接可能な成形位置固定形状部に対して、前記第１紐状部材に形成された前記位置決め形状部を当接させてから成形することを特徴とする磁気治療具の製造方法。
【発明の詳細な説明】
【技術分野】
【０００１】
本発明は、首や腕などに掛けて使用され、磁気の作用により、血行促進などの効果が期待される磁気治療具およびその製造方法に関する。
【背景技術】
【０００２】
磁石を有するネックレスやブレスレットを身に着けると、磁気の作用により、血行促進などの効果が得られることが知られている。例えば、柔軟で折り曲げ可能な軟質性紐状体と、その軟質性紐状体の内部に収容された磁石と、その軟質性紐状体の両端に備えられた連結具とを有する磁気治療具が知られている。
【０００３】
特許文献１には、シリコーンゴムに複数の磁石を収容した可撓性を有する長尺な磁性部（軟質性紐状体）を備えた磁気治療具が開示されている。この特許文献１には、磁気治療具の製造方法として、磁性部に対応する上型と下型とを備えた金型を用い、金型の磁性部に対応する部分にシリコーンゴムをセットし、そのセットしたシリコーンゴムに磁性体を配置した後、プレス成型する方法が開示されている。
【０００４】
また、軟質性紐状体としてシリコーンゴムなどを用いた一般的なネックレスやブレスレットでは、首や腕などに容易に着脱可能にするために、軟質性紐状体の両端部分に、容易に着脱可能な係止金具（クラスプ部）が設けられている。
【０００５】
このような磁気治療具の軟質性紐状体に収容する磁石として、例えば、異方性磁石を用いる場合、磁石材に対して着磁方向を正確に位置決めして着磁する必要がある。このため、従来は、例えば、着磁前の磁石材を収容した軟質性紐状体の端部に、美観に影響を及ぼさない程度の小さなマーク等を形成しておき、着磁器に軟質性紐状体をセットする際に、この小さなマークを目印にして、軟質性紐状体の位置決めを行っていた。
【０００６】
また、磁石として、例えば、等方性磁石を用いる場合であっても、磁石の外形が例えば直方体形状などでは磁束線が磁石の周囲に均一には出ないため、複数の磁石どうしの収容方向を揃えておく必要がある。このため、軟質性紐状体を構成する１次成形紐状体に磁石を配置した後に２次成形紐状体を成形して得られる軟質性紐状体が捻じれないように、２次成形紐状体の成形時に、１次成形紐状体を金型に正確に位置決めする必要がある。
【先行技術文献】
【特許文献】
【０００７】
【特許文献１】特開２００９−１８０６０号公報
【発明の概要】
【発明が解決しようとする課題】
【０００８】
しかしながら、従来のように、軟質性紐状体に施された小さなマークを位置決め指標として確認しながら着磁器に軟質性紐状体をセットする作業は容易ではなく、着磁作業に手間が掛かるという課題があった。
【０００９】
また、１次成形紐状体に磁石を配置して２次成形紐状体を成形することで軟質性紐状体を得る工程においても、紐状で捻じれやすい１次成形紐状体を２次成形紐状体成型用の金型に、正確に位置決めして固定する作業は容易ではなく、軟質性紐状体の成形に手間が掛かるという課題があった。
【００１０】
本発明は、前述した状況に鑑みてなされたものであって、軟質性紐状体に収容された磁石に対して正確な着磁方向で着磁を行うことが可能になり、また、捻じれを抑制した軟質性紐状体の成形を可能にする磁気治療具およびその製造方法を提供する。
【課題を解決するための手段】
【００１１】
上記課題を解決するために、本発明の磁気治療具は、長手方向に延びた軟質性紐状体と、前記軟質性紐状体の内部に収容されている磁石とを有する磁気治療具であって、前記軟質性紐状体は、長手方向に延びる第１紐状部材と第２紐状部材とを接合した接合体であり、前記軟質性紐状体の一端側および他端側には、第１クラスプ部および第２クラスプ部がそれぞれ形成され、前記第１クラスプ部および前記第２クラスプ部のうち、少なくともいずれか一方には、前記第１クラスプ部と前記第２クラスプ部とを脱着自在に係着させる係着手段が形成され、前記第１紐状部材の一端側および他端側のうち少なくとも一方、または前記第１クラスプ部および前記第２クラスプ部のうち少なくとも一方には、前記磁石の収容方向、または前記磁石の主たる磁束線の方向を表示するための位置決め形状部が形成されていることを特徴とする。
【００１２】
また、本発明は、前記位置決め形状部は、凹部、貫通孔、および平坦面のいずれかであることが好ましい。
【００１３】
また、本発明は、前記軟質性紐状体に形成された前記位置決め形状部のうち、前記軟質性紐状体の外面に露出する部分は、前記第１クラスプ部または前記第２クラスプ部によって覆われていることが好ましい。
【００１４】
また、本発明は、前記第１クラスプ部および前記第２クラスプ部の外面を覆う外装体を更に備え、前記外装体は、前記第１クラスプ部および前記第２クラスプ部のうち少なくとも一方に形成された前記位置決め形状部のうち外面に露出する部分を覆うことが好ましい。
【００１５】
また、本発明は、前記位置決め形状部を成す前記凹部の深さ方向、前記貫通孔の貫通方向、前記平坦面の面方向は、それぞれ前記磁石の収容方向、または前記磁石の主たる磁束線の方向に対して平行、または直角を成すことが好ましい。
【００１６】
また、本発明は、前記磁石は異方性磁石であることが好ましい。
【００１７】
本発明の磁気治療具の製造方法は、前記各項記載の磁気治療具の製造方法であって、前記第１クラスプ部および前記第２クラスプ部のうち、少なくともいずれか一方に前記位置決め形状部が形成された前記軟質性紐状体に内蔵された前記磁石に対して着磁を行う着磁工程を有し、前記着磁工程は、前記位置決め形状部と当接可能な着磁位置固定形状部を備えた着磁器の前記着磁位置固定形状部に対して、前記位置決め形状部を当接させてから着磁することを特徴とする。
【００１８】
また、本発明の磁気治療具の製造方法は、前記各項記載の磁気治療具の製造方法であって、一端側および他端側のうち少なくとも一方に前記位置決め形状部が形成された第１紐状部材に前記磁石を配置してから前記第２紐状部材を成形する第２紐状部材成形工程を有し、前記第２紐状部材成形工程は、前記第２紐状部材の成形形状を備えた金型に設けられた、前記位置決め形状部と当接可能な成形位置固定形状部に対して、前記第１紐状部材に形成された前記位置決め形状部を当接させてから成形することを特徴とする。
【発明の効果】
【００１９】
本発明によれば、軟質性紐状体に収容された磁石に対して正確な着磁方向で着磁を行うことが可能になり、また、捻じれを抑制した軟質性紐状体の成形を可能にする磁気治療具およびその製造方法を提供することが可能になる。
【図面の簡単な説明】
【００２０】
【図１】本発明の第１実施形態にかかる磁気治療具（係着状態）を示す外観斜視図である。
【図２】本発明の第１実施形態にかかる磁気治療具（開放状態）を示す正面図である。
【図３】図２の要部拡大断面図である。
【図４】図３のＡ−Ａ’線における断面図である。
【図５】第１実施形態の磁気治療具に用いられる異方性磁石周辺の磁束線を説明する概念図である。
【図６】軟質性紐状体の一端側および他端側にそれぞれ形成されたクラスプ部を示す断面図である。
【図７】本発明の第２実施形態にかかる磁気治療具を構成する軟質性紐状体の一端側および他端側にそれぞれ形成されたクラスプ部を示す断面図である。
【図８】本発明の第３実施形態にかかる磁気治療具を構成する軟質性紐状体の一端側および他端側にそれぞれ形成されたクラスプ部を示す一部破断図である。
【図９】本発明の第４実施形態にかかる磁気治療具を構成する軟質性紐状体の一端側および他端側にそれぞれ形成されたクラスプ部を示す断面図である。
【図１０】本発明の第５実施形態にかかる磁気治療具を構成する軟質性紐状体の一端側および他端側にそれぞれ形成されたクラスプ部を示す断面図である。
【図１１】第１実施形態の磁気治療具の製造方法の一部である着磁工程を示す模式図である。
【図１２】第２実施形態の磁気治療具の製造方法の一部である第２紐状部材成形工程を段階的にした断面図である。
【発明を実施するための形態】
【００２１】
以下、図面を参照して、本発明の一実施形態の磁気治療具およびその製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２２】
「磁気治療具、第１実施形態」
図１は、本発明の第１実施形態にかかる磁気治療具（係着状態）を示す外観斜視図である。図２は、本発明の第１実施形態にかかる磁気治療具（開放状態）を示す正面図である。図３は、図２の磁石収容部分における要部拡大断面図である。また。図４は、図３のＡ−Ａ’線における断面図である。
本実施形態の磁気治療具１は、軟質性紐状体１０と、軟質性紐状体１０の内部に収容されている異方性磁石２０ａ、２０ｂとを有する。磁気治療具１は、軟質性紐状体１０の一端側および他端側にそれぞれ形成され、前記軟質性紐状体の端部どうしを脱着可能に接続するクラスプ部３０を有している。なお、本実施形態においては軟質性紐状体１０の内部に磁石の一例として異方性磁石を設けた場合について述べるが、磁石としては等方性磁石等、他の磁石であっても良い。
【００２３】
クラスプ部３０は、軟質性紐状体１０の一端側に形成された第１クラスプ部３０Ａと、軟質性紐状体１０の他端側に形成された第２クラスプ部３０Ｂと、から構成されている。これら第１クラスプ部３０Ａおよび第２クラスプ部３０Ｂを互いに係着することによって、図１に示すようにリングを形成する。リングを形成している磁気治療具１は、例えば、磁気ネックレス、磁気ブレスレットとして使用される。
【００２４】
軟質性紐状体１０の断面形状は本実施形態では円形であるが、折り曲げ可能であれば、その断面形状に、特に制限はなく、例えば、楕円形、多角形としてもよい。軟質性紐状体１０の直径は、特に限定されないが、例えば、０．３ｃｍ以上２ｃｍ以下の範囲である。また、軟質性紐状体１０の長さ方向の長さは、特に限定されないが、例えば、ネックレスとして使用されるものは、３０ｃｍ以上７０ｃｍ以下の範囲であり、ブレスレットとして使用されるものは、１０ｃｍ以上３０ｃｍ以下の範囲である。
【００２５】
本実施形態の軟質性紐状体１０は、長手方向に延びた第１紐状部材１１と第２紐状部材１５とを接合した接合体である。第１紐状部材１１および第２紐状部材１５は、軟質樹脂から形成されていることが好ましい。第１紐状部材１１および第２紐状部材１５を構成する軟質樹脂は、例えば、−６０℃以上１５０℃以下の温度範囲で折り曲げ可能な弾性体であることが好ましい。
【００２６】
第１紐状部材１１および第２紐状部材１５を構成する軟質樹脂としては、ゴムおよびエラストマーを用いることができる。ゴムの例としては、シリコーンゴム、ウレタンゴム、ブタジエンゴム、イソプレンゴム、アクリルゴム、クロロプレンゴム、フッ素ゴムが挙げられる。エラストマーの例としては、スチレン系エラストマー、オレフィン系エラストマー、塩化ビニル系エラストマー、ウレタン系エラストマー、アミド系エラストマーが挙げられる。第１紐状部材１１および第２紐状部材１５は、それぞれ異なる軟質樹脂から形成されていてもよいが、接合強度の観点から同一種の軟質樹脂から形成されていることが好ましい。本実施形態では、第１紐状部材１１と第２紐状部材１５ともにシリコーンゴムを用いている。
【００２７】
なお、軟質性紐状体１０は、一端側１０ａと他端側１０ｂを除いた領域、即ち、後述する異方性磁石２０ａ、２０ｂが挿入される領域は第１紐状部材１１と第２紐状部材１５とを接合しているが、一端側１０ａと他端側１０ｂは、第１紐状部材１１だけで形成されている。
【００２８】
第１紐状部材１１は、第２紐状部材と接合する面に凹状に形成された凹状磁石支持部１２を有し、異方性磁石２０ａ、２０ｂの少なくとも一部が凹状磁石支持部１２に挿入されている。本実施形態では、異方性磁石２０ａ、２０ｂの５０体積％以上の部分が、凹状磁石支持部に挿入されている。
【００２９】
本実施形態において、第１紐状部材１１は、長手方向に沿った中央部に、長手方向に沿った両側部よりも盛り上がった凸部１３を有し、凸部１３に凹状磁石支持部１２が設けられている。本実施形態では、凸部１３の断面形状は、上底が下低よりも短い台形状とされている。
【００３０】
異方性磁石２０ａ、２０ｂは、図３、４に示すように、磁化方向（着磁方向）Ｍ１が目視で判別できるように長方体にすることが望ましい。本実施形態では、幅方向（Ｙ方向）の長さＷ、高さ方向（Ｚ方向）の長さＨ、長手方向（Ｘ方向）の長さＬが、１：２：４とされている。
【００３１】
また、異方性磁石２０ａ、２０ｂの高さ方向の長さＨは、軟質性紐状体１０の径φに対して、５０％以上８０％以下の範囲にあることが好ましい。Ｈがこの範囲にあると、異方性磁石２０ａ、２０ｂを凹状磁石収容部１６で安定に支持することができ、異方性磁石２０ａ、２０ｂの配置位置がずれにくくなるとともに、高さ方向の軟質性紐状体１０の厚さが薄くなり過ぎず、折り曲げなどによる軟質性紐状体１０の割れや破損が生じにくくなる。
【００３２】
さらに、異方性磁石２０ａ、２０ｂの角および辺は、面取りまたはＲ加工されていることが好ましい。これによって、例えば、軟質性紐状体１０が過剰に折り曲げられたとき、あるいは軟質性紐状体１０に過度に圧力が負荷されたときでも異方性磁石２０ａ、２０ｂに微細な割れや欠けが生じにくくなる。
【００３３】
異方性磁石２０ａ、２０ｂの材料としては、希土類磁石、異方性フェライト磁石、異方性ラバー磁石など磁気治療具用の磁石として通常、使用されているものを利用することができる。本実施形態では、異方性磁石２０ａ、２０ｂとして希土類磁石を用いている。
【００３４】
本実施形態においては、２つの異方性磁石２０ａ、２０ｂで一つの強磁力発生部２１を構成している。強磁力発生部２１では、異方性磁石２０ａと異方性磁石２０ｂとは互いに反発する位置関係で支持固定されている。これによって、強磁力発生部２１は、単独の異方性磁石と比較して、遠く離れた位置に磁気を届けることが可能な強い磁力を発生させることができる。この理由を、図５を参照しながら説明する。
【００３５】
図５（ａ）は、異方性磁石２０を単独で配置したときの異方性磁石２０の周りに分布する磁束線の状態を表す概念図である。図５（ａ）において破線で表されるように、異方性磁石２０を単独で配置した場合、近くに他の磁石が配置されていないため、異方性磁石２０の周辺は、異方性磁石２０のＮ極から磁束が出て、同じ異方性磁石２０のＳ極に戻り、異方性磁石２０から近い領域に磁束が集中する磁気回路が形成される。そのため、異方性磁石２０の磁束は、異方性磁石２０から遠くへ及ばない。
【００３６】
図５（ｂ）は、異なる磁極が同じ側を向く２つの異方性磁石２０ａ、２０ｂを、互いに隣接するように配置したときの異方性磁石２０ａ、２０ｂの周りに分布する磁束線の状態を表す概念図である。図５（ｂ）において破線で表されるように、異なる磁極が同じ側を向く２つの異方性磁石２０ａ、２０ｂを、互いに隣接するように配置した場合、一方の異方性磁石のＮ極と他方の異方性磁石のＳ極とが接近して配置されているため、異方性磁石２０ａ、２０ｂのＮ極から出た磁束は、近接する他の異方性磁石のＳ極か、又は同じ異方性磁石のＳ極へ戻る。従って、異方性磁石２０ａ、２０ｂから近い領域に磁束が集中する磁気回路が形成される。そのため、異方性磁石２０ａ、２０ｂの磁束は、異方性磁石２０ａ、２０ｂから遠くへ及ばない。
【００３７】
図５（ｃ）は、同じ磁極が同じ側を向く２つの異方性磁石２０ａ、２０ｂを、互いに隣接するように配置したときの異方性磁石２０ａ、２０ｂの周りに分布する磁束線の状態を表す概念図である。図５（ｃ）において破線で表されるように、同じ磁極が同じ側を向く２つの異方性磁石２０ａ、２０ｂを、互いに隣接するように配置した場合、一方の異方性磁石のＮ極（又はＳ極）と他方の異方性磁石のＮ極（又はＳ極）とが接近して配置されているため、異方性磁石２０ａ、２０ｂのＮ極から出た磁束は、近接する他の異方性磁石のＮ極の影響により、異方性磁石に近接する領域を通過してＳ極へ戻ることが阻害される。
従って、異方性磁石２０ａ、２０ｂから遠い領域に磁束が集中する磁気回路が形成される。そのため、異方性磁石２０ａ、２０ｂ（強磁力発生部２１）から遠く離れた位置に磁気を届けることができる。
【００３８】
本実施形態では、一つの強磁力発生部２１を構成する２つの異方性磁石２０ａ、２０ｂを揃えて（平行）に並べる必要がある。着磁の際、磁界を印加する方向は一定のため、磁石材の向きが揃っていないと規定の磁界を得られない場合がある。従って、着磁をさせる前の磁石材を軟質性紐状体の内部に精度よく配置することが必要となる。
【００３９】
図６（ａ）は、軟質性紐状体の一端側および他端側にそれぞれ形成されたクラスプ部を示す断面図である。また、図６（ｂ）は、図６（ａ）のＢ−Ｂ’線における断面図である。
磁気治療具１を構成する軟質性紐状体１０の一端側１０ａの第１クラスプ部３０Ａは、紐状体端部保持部材３１Ａを備えている。この紐状体端部保持部材３１Ａは、円筒形を成す本体部３３Ａと、この本体部３３Ａから突出する球状係合体（係着手段）３５と、本体部３３Ａに連なり一体に形成され、軟質性紐状体１０の内部に向けて侵入して軟質性紐状体１０に囲まれて密着する侵入部３２とを備えている。
【００４０】
侵入部３２には、軟質性紐状体１０の直径方向に沿って貫通する樹脂侵入孔３４が形成され、この樹脂侵入孔３４に軟質性紐状体を構成するシリコーンゴムが入り込むことにより、紐状体端部保持部材３１Ａから軟質性紐状体１０が抜け出ることを防止する。
【００４１】
第１クラスプ部３０Ａを構成する紐状体端部保持部材３１Ａの本体部３３Ａには、位置決め形状部３８Ａが形成されている。本実施形態では、位置決め形状部３８Ａは軟質性紐状体１０の直径方向に対して平行に貫通する貫通孔からなる。本実施形態において、この位置決め形状部３８Ａは、異方性磁石２０ａ、２０ｂの着磁方向（磁石の主たる磁束線の方向）を表示している。即ち、位置決め形状部３８Ａを成す貫通孔は、軟質性紐状体１０を捻らない状態において、その貫通方向Ｍ２が、図３、図４に示す異方性磁石２０ａ、２０ｂの磁化方向（着磁方向）Ｍ１に対して平行な状態になっている。
【００４２】
こうした位置決め形状部３８Ａは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。また、こうした位置決め形状部３８Ａを成す貫通穴の貫通方向Ｍ２を確認することにより、シリコンチューブからなる軟質性紐状体１０に包まれて外部からその収納方向を確認しづらい異方性磁石２０ａ、２０ｂの磁化方向（着磁方向）Ｍ１を容易に把握することができ、これにより、磁気治療具１の効果を最大限にすることができる装着方向を容易に把握することが可能になる。
【００４３】
軟質性紐状体１０の他端側１０ｂの第２クラスプ部３０Ｂの紐状体端部保持部材３１Ｂは、円筒形の本体部３３Ｂと、この本体部３３Ｂの一部に形成された係合体受入部（係着手段）３６と、本体部３３Ｂに連なり一体に形成され、軟質性紐状体１０の内部に向けて侵入して軟質性紐状体１０に囲まれて密着する侵入部３２とを備えている。この侵入部３２にも樹脂侵入孔３４が形成され、軟質性紐状体１０を構成するシリコーンゴムが入り込んでいる。
【００４４】
係合体受入部３６には、例えば、先端から長手方向に沿って凹み、内部に弾性のあるリング（球状係合体係止部材）３７が設けられている。こうした係合体受入部３６は、係合時において、球状係合体３５が係合体受入部３６の弾性のあるリング３７を押し広げて嵌まり込むことによって、第１クラスプ部３０Ａと第２クラスプ部３０Ｂとが係合される。なお、弾性のあるリング３７は、例えばシリコーンゴム、フッ素ゴムによって形成されている。なお、弾性のあるリング３７に代えて、例えば、バネによって係合体受入部３６の内面に対して突出および退避が可能な、係止片を設けた構成であってもよい。
【００４５】
第２クラスプ部３０Ｂを構成する紐状体端部保持部材３１Ｂの本体部３３Ｂには、位置決め形状部３８Ｂが形成されている。本実施形態では、位置決め形状部３８Ｂは軟質性紐状体１０の直径方向に対して平行に貫通する貫通孔からなる。本実施形態において、この位置決め形状部３８Ｂは、異方性磁石２０ａ、２０ｂの着磁方向（磁石の主たる磁束線の方向）を表示している。即ち、位置決め形状部３８Ｂを成す貫通孔は、軟質性紐状体１０を捻らない状態において、その貫通方向Ｍ２が、図３、図４に示す異方性磁石２０ａ、２０ｂの磁化方向（着磁方向）Ｍ１に対して平行な状態になっている。
【００４６】
こうした位置決め形状部３８Ｂも、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。
また、こうした位置決め形状部３８Ｂを成す貫通穴の貫通方向Ｍ２を確認することにより、シリコンチューブからなる軟質性紐状体１０に包まれて外部からその収納方向を確認しづらい異方性磁石２０ａ、２０ｂの磁化方向（着磁方向）Ｍ１を容易に把握することができ、これにより、磁気治療具１の効果を最大限にすることができる装着方向を容易に把握することが可能になる。
【００４７】
なお、本実施形態では、軟質性紐状体１０に捻じれが無い状態において、位置決め形状部３８Ａや位置決め形状部３８Ｂを成す貫通孔の貫通方向Ｍ２を異方性磁石２０ａ、２０ｂの磁化方向（着磁方向）Ｍ１に対して平行になるように形成しているが、これに限定されるものでは無い。例えば、位置決め形状部３８Ａや位置決め形状部３８Ｂを成す貫通孔の貫通方向Ｍ２を異方性磁石２０ａ、２０ｂの磁化方向（着磁方向）Ｍ１に対して直角（９０°）になるように形成してもよく、あるいは、貫通方向Ｍ２を磁化方向（着磁方向）Ｍ１に対して所定の角度、例えば４５°や１３５°など、任意の角度に形成してもよい。
【００４８】
また、本実施形態では、位置決め形状部３８Ａ，３８Ｂをそれぞれ第１クラスプ部３０Ａ、第２クラスプ部３０Ｂに形成しているが、位置決め形状部３８Ａ，３８Ｂのうち、どちらか一方だけを形成する構成であってもよい。例えば、第１クラスプ部３０Ａに位置決め形状部３８Ａを形成し、第２クラスプ部３０Ｂには特に位置決め形状部を形成しない構成にすることもできる。
【００４９】
また、本実施形態では、位置決め形状部３８Ａや位置決め形状部３８Ｂを成す貫通孔を断面円形としているが、これ以外にも、例えば、貫通孔を断面三角形や断面四角形など、任意の断面形状の貫通孔にすることができる。
【００５０】
「磁気治療具、第２実施形態」
図７（ａ）は、本発明の第２実施形態にかかる磁気治療具を構成する軟質性紐状体の一端側および他端側にそれぞれ形成されたクラスプ部を示す断面図である。また、図７（ｂ）は、図７（ａ）のＣ−Ｃ’線における断面図である。
なお、第１実施形態と同様の構成には同一の番号を付し、重複する説明を省略する。
本実施形態の磁気治療具２を構成する軟質性紐状体１０の一端側１０ａのクラスプ部４０である第１クラスプ部４０Ａは、紐状体端部保持部材４１Ａを備えている。この紐状体端部保持部材４１Ａは、円筒形を成す本体部４３Ａと、この本体部４３Ａから突出する球状係合体（係着手段）３５と、本体部４３Ａに連なり一体に形成され、軟質性紐状体１０の内部に向けて侵入して軟質性紐状体１０に囲まれて密着する侵入部３２とを備えている。
【００５１】
第１クラスプ部４０Ａを構成する紐状体端部保持部材４１Ａの本体部４３Ａには、位置決め形状部４８Ａが形成されている。本実施形態では、位置決め形状部４８Ａは軟質性紐状体１０の直径方向に対して平行に掘り込まれるように形成された円筒形の凹部からなる。本実施形態において、この位置決め形状部４８Ａは、異方性磁石２０ａ、２０ｂの着磁方向（磁石の主たる磁束線の方向）を表示している。即ち、位置決め形状部４８Ａを成す凹部は、軟質性紐状体１０を捻らない状態において、その深さ方向Ｍ３が、図３、図４に示す異方性磁石２０ａ、２０ｂの磁化方向（着磁方向）Ｍ１に対して平行な状態になっている。
【００５２】
こうした位置決め形状部４８Ａは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。また、こうした位置決め形状部４８Ａを成す凹部の深さ方向Ｍ３を確認することにより、シリコンチューブからなる軟質性紐状体１０に包まれて外部からその収納方向を確認しづらい異方性磁石２０ａ、２０ｂの磁化方向（着磁方向）Ｍ１を容易に把握することができ、これにより、磁気治療具２の効果を最大限にすることができる装着方向を容易に把握することが可能になる。
【００５３】
軟質性紐状体１０の他端側１０ｂのクラスプ部４０である第２クラスプ部４０Ｂの紐状体端部保持部材４１Ｂは、円筒形の本体部４３Ｂと、この本体部４３Ｂの一部に形成された係合体受入部（係着手段）３６と、本体部４３Ｂに連なり一体に形成され、軟質性紐状体１０の内部に向けて侵入して軟質性紐状体１０に囲まれて密着する侵入部３２とを備えている。この侵入部３２にも樹脂侵入孔３４が形成され、軟質性紐状体１０を構成するシリコーンゴムが入り込んでいる。
【００５４】
係合体受入部３６には、例えば、先端から長手方向に沿って凹み、内部に弾性のあるリング（球状係合体係止部材）３７が設けられている。こうした係合体受入部３６は、係合時において、球状係合体３５が係合体受入部３６の弾性のあるリング３７を押し広げて嵌まり込むことによって、第１クラスプ部４０Ａと第２クラスプ部４０Ｂとが係合される。
【００５５】
第２クラスプ部４０Ｂを構成する紐状体端部保持部材４１Ｂの本体部４３Ｂには、位置決め形状部４８Ｂが形成されている。本実施形態では、位置決め形状部４８Ｂは軟質性紐状体１０の直径方向に対して平行な方向に掘り込まれるように形成された円筒形の凹部からなる。本実施形態において、この位置決め形状部４８Ｂは、異方性磁石２０ａ、２０ｂ（図３、４参照）の着磁方向（磁石の主たる磁束線の方向）を表示している。即ち、位置決め形状部４８Ｂを成す凹部は、軟質性紐状体１０を捻らない状態において、その深さ方向Ｍ３が、図３、図４に示す異方性磁石２０ａ、２０ｂの磁化方向（着磁方向）Ｍ１に対して平行な状態になっている。
【００５６】
こうした位置決め形状部４８Ｂも、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。
【００５７】
また、こうした位置決め形状部４８Ｂを成す凹部の深さ方向Ｍ３を確認することにより、シリコンチューブからなる軟質性紐状体１０に包まれて外部からその収納方向を確認しづらい異方性磁石２０ａ、２０ｂの磁化方向（着磁方向）Ｍ１を容易に把握することができ、これにより、磁気治療具２の効果を最大限にすることができる装着方向を容易に把握することが可能になる。
【００５８】
「磁気治療具、第３実施形態」
図８（ａ）は、本発明の第３実施形態にかかる磁気治療具を構成する軟質性紐状体の一端側および他端側にそれぞれ形成されたクラスプ部を示す一部破断図である。また、図８（ｂ）は、図８（ａ）のＤ−Ｄ’線における一部破断図である。
なお、第１実施形態と同様の構成には同一の番号を付し、重複する説明を省略する。
本実施形態の磁気治療具３を構成する軟質性紐状体１０の一端側１０ａのクラスプ部５０である第１クラスプ部５０Ａは、紐状体端部保持部材５１Ａを備えている。この紐状体端部保持部材５１Ａは、円筒形を成す本体部５３Ａと、この本体部５３Ａから突出する球状係合体（係着手段）３５と、本体部５３Ａに連なり一体に形成され、軟質性紐状体１０の内部に向けて侵入して軟質性紐状体１０に囲まれて密着する侵入部３２とを備えている。
【００５９】
第１クラスプ部５０Ａを構成する紐状体端部保持部材５１Ａの本体部５３Ａには、位置決め形状部５８Ａが形成されている。本実施形態では、位置決め形状部５８Ａは、円筒形の本体部５３Ａの周面の一部を切り欠くように形成した平坦面からなる。本実施形態において、この位置決め形状部５８Ａは、異方性磁石２０ａ、２０ｂの着磁方向（磁石の主たる磁束線の方向）を表示している。即ち、位置決め形状部５８Ａを成す平坦面は、軟質性紐状体１０を捻らない状態において、その面方向Ｍ４が、図３、図４に示す異方性磁石２０ａ、２０ｂの磁化方向（着磁方向）Ｍ１に対して平行な状態になっている。
【００６０】
こうした位置決め形状部５８Ａは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。また、こうした位置決め形状部５８Ａを成す平坦面の面方向Ｍ４を確認することにより、シリコンチューブからなる軟質性紐状体１０に包まれて外部からその収納方向を確認しづらい異方性磁石２０ａ、２０ｂの磁化方向（着磁方向）Ｍ１を容易に把握することができ、これにより、磁気治療具２の効果を最大限にすることができる装着方向を容易に把握することが可能になる。
【００６１】
軟質性紐状体１０の他端側１０ｂのクラスプ部５０である第２クラスプ部５０Ｂの紐状体端部保持部材５１Ｂは、円筒形の本体部５３Ｂと、この本体部５３Ｂの一部に形成された係合体受入部（係着手段）３６と、本体部５３Ｂに連なり一体に形成され、軟質性紐状体１０の内部に向けて侵入して軟質性紐状体１０に囲まれて密着する侵入部３２とを備えている。この侵入部３２にも樹脂侵入孔３４が形成され、軟質性紐状体１０を構成するシリコーンゴムが入り込んでいる。
【００６２】
係合体受入部３６には、例えば、先端から長手方向に沿って凹み、内部に弾性のあるリング（球状係合体係止部材）３７が設けられている。こうした係合体受入部３６は、係合時において、球状係合体３５が係合体受入部３６の弾性のあるリング３７を押し広げて嵌まり込むことによって、第１クラスプ部５０Ａと第２クラスプ部５０Ｂとが係合される。
【００６３】
第２クラスプ部５０Ｂを構成する紐状体端部保持部材５１Ｂの本体部５３Ｂには、位置決め形状部５８Ｂが形成されている。本実施形態では、位置決め形状部５８Ｂは、円筒形の本体部５３Ｂの周面の一部を切り欠くように形成した平坦面からなる。本実施形態において、この位置決め形状部５８Ｂは、異方性磁石２０ａ、２０ｂ（図３、４参照）の着磁方向（磁石の主たる磁束線の方向）を表示している。即ち、位置決め形状部５８Ｂを成す平坦面は、軟質性紐状体１０を捻らない状態において、その面方向Ｍ４が、図３、図４に示す異方性磁石２０ａ、２０ｂの磁化方向（着磁方向）Ｍ１に対して平行な状態になっている。
【００６４】
こうした位置決め形状部５８Ｂも、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。
【００６５】
また、こうした位置決め形状部５８Ｂを成す平坦面の面方向Ｍ４を確認することにより、シリコンチューブからなる軟質性紐状体１０に包まれて外部からその収納方向を確認しづらい異方性磁石２０ａ、２０ｂの磁化方向（着磁方向）Ｍ１を容易に把握することができ、これにより、磁気治療具３の効果を最大限にすることができる装着方向を容易に把握することが可能になる。
【００６６】
「磁気治療具、第４実施形態」
図９（ａ）は、本発明の第４実施形態にかかる磁気治療具を構成する軟質性紐状体の一端側および他端側にそれぞれ形成されたクラスプ部を示す断面図である。また、図９（ｂ）は、図９（ａ）のＥ−Ｅ’線における断面図である。
なお、第１実施形態と同様の構成には同一の番号を付し、重複する説明を省略する。
磁気治療具４を構成する軟質性紐状体１０の一端側１０ａのクラスプ部６０を成す第１クラスプ部６０Ａは、紐状体端部保持部材３１Ａを備えている。この紐状体端部保持部材３１Ａは、円筒形を成す本体部３３Ａと、この本体部３３Ａから突出する球状係合体（係着手段）３５と、本体部３３Ａに連なり一体に形成され、軟質性紐状体１０の内部に向けて侵入して軟質性紐状体１０に囲まれて密着する侵入部３２とを備えている。
【００６７】
第１クラスプ部６０Ａを構成する紐状体端部保持部材３１Ａの本体部３３Ａには、位置決め形状部３８Ａが形成されている。本実施形態では、位置決め形状部３８Ａは軟質性紐状体１０の直径方向に対して平行に貫通する貫通孔からなる。本実施形態において、この位置決め形状部３８Ａは、異方性磁石２０ａ、２０ｂの着磁方向（磁石の主たる磁束線の方向）を表示している。即ち、位置決め形状部３８Ａを成す貫通孔は、軟質性紐状体１０を捻らない状態において、その貫通方向Ｍ２が、図３、図４に示す異方性磁石２０ａ、２０ｂの磁化方向（着磁方向）Ｍ１に対して平行な状態になっている。
【００６８】
そして、本実施形態の第１クラスプ部６０Ａは、紐状体端部保持部材３１Ａの外面を覆う外装体６９Ａを備えている。外装体６９Ａは円筒形を成し、例えば、金属板などから形成されている。この外装体６９Ａによって、位置決め形状部３８Ａのうち紐状体端部保持部材３１Ａの外面に露出する部分が覆われる。
【００６９】
こうした位置決め形状部３８Ａは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。そして、この着磁工程の後に第１クラスプ部６０Ａに外装体６９Ａを形成することによって、位置決め形状部３８Ａを外部から視認することができなくなるため、磁気治療具４の美観を向上させることができる。
【００７０】
軟質性紐状体１０の他端側１０ｂの第２クラスプ部６０Ｂの紐状体端部保持部材３１Ｂは、円筒形の本体部３３Ｂと、この本体部３３Ｂの一部に形成された係合体受入部（係着手段）３６と、本体部３３Ｂに連なり一体に形成され、軟質性紐状体１０の内部に向けて侵入して軟質性紐状体１０に囲まれて密着する侵入部３２とを備えている。
【００７１】
係合体受入部３６には、例えば、先端から長手方向に沿って凹み、内部に弾性のあるリング（球状係合体係止部材）３７が設けられている。こうした係合体受入部３６は、係合時において、球状係合体３５が係合体受入部３６の弾性のあるリング３７を押し広げて嵌まり込むことによって、第１クラスプ部６０Ａと第２クラスプ部６０Ｂとが係合される。
【００７２】
第２クラスプ部６０Ｂを構成する紐状体端部保持部材３１Ｂの本体部３３Ｂには、位置決め形状部３８Ｂが形成されている。本実施形態では、位置決め形状部３８Ｂは軟質性紐状体１０の直径方向に対して平行に貫通する貫通孔からなる。本実施形態において、この位置決め形状部３８Ｂは、異方性磁石２０ａ、２０ｂの着磁方向（磁石の主たる磁束線の方向）を表示している。即ち、位置決め形状部３８Ｂを成す貫通孔は、軟質性紐状体１０を捻らない状態において、その貫通方向Ｍ２が、図３、図４に示す異方性磁石２０ａ、２０ｂの磁化方向（着磁方向）Ｍ１に対して平行な状態になっている。
【００７３】
そして、本実施形態の第２クラスプ部６０Ｂは、紐状体端部保持部材３１Ｂの外面を覆う外装体６９Ｂを備えている。外装体６９Ｂは円筒形を成し、例えば、金属板などから形成されている。この外装体６９Ｂによって、位置決め形状部３８Ｂのうち紐状体端部保持部材３１Ｂの外面に露出する部分が覆われる。
【００７４】
こうした位置決め形状部３８Ｂは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。そして、この着磁工程の後に第２クラスプ部６０Ｂに外装体６９Ｂを形成することによって、位置決め形状部３８Ｂを外部から視認することができなくなるため、磁気治療具４の美観を向上させることができる。
【００７５】
「磁気治療具、第５実施形態」
図１０は、本発明の第５実施形態にかかる磁気治療具を構成する軟質性紐状体の一端側および他端側にそれぞれ形成されたクラスプ部を示す断面図である。
なお、第１実施形態と同様の構成には同一の番号を付し、重複する説明を省略する。
磁気治療具５を構成する軟質性紐状体１０の一端側１０ａのクラスプ部７０を成す第１クラスプ部７０Ａは、紐状体端部保持部材７１Ａと、永久磁石（係着手段）７２と、外装体７３Ａと、を有している。
【００７６】
紐状体端部保持部材７１Ａは、軟質性紐状体１０の一端側１０ａに係止される。そして、この軟質性紐状体１０を成す第１紐状部材１１の一端側１０ａには、位置決め形状部７８Ａが形成されている。本実施形態では、位置決め形状部７８Ａは軟質性紐状体１０の直径方向に貫通する貫通孔からなる。本実施形態において、この位置決め形状部７８Ａは、異方性磁石２０ａ、２０ｂの着磁方向（磁石の主たる磁束線の方向）を表示している。即ち、位置決め形状部７８Ａを成す貫通孔は、軟質性紐状体１０を捻らない状態において、その貫通方向Ｍ５が、図３、図４に示す異方性磁石２０ａ、２０ｂの磁化方向（着磁方向）Ｍ１に対して平行な状態になっている。
【００７７】
永久磁石（係着手段）７２は、軟質性紐状体１０の一端側１０ａの端面に隣接して配置され、例えば円筒形を成している。この永久磁石（係着手段）３２は、第２クラスプ部７０Ｂの外装体７３Ｂに対して磁力により吸着する。
【００７８】
このような永久磁石（係着手段）３２によって、第１クラスプ部７０Ａと第２クラスプ部７０Ｂとを自在に接続および離間させることを可能にする。即ち、第１クラスプ部７０Ａと第２クラスプ部７０Ｂとを近接させることにより、第１クラスプ部７０Ａの永久磁石３２が第２クラスプ部７０Ｂの外装体７３Ｂに対して磁力によって吸着し、軟質性紐状体１０をリング状にすることができる。また、第１クラスプ部７０Ａと第２クラスプ部７０Ｂとを磁力に抗して引き離すことによって、軟質性紐状体１０を一連の直線状にすることができる。
【００７９】
そして、本実施形態のように、軟質性紐状体１０の一端側１０ａに形成された位置決め形状部７８Ａは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。また、この着磁工程の後に第１クラスプ部７０Ａを形成することによって、位置決め形状部７８Ａを外部から視認することができなくなるため、磁気治療具５の美観を向上させることができる。
【００８０】
磁気治療具５を構成する軟質性紐状体１０の他端側１０ｂのクラスプ部７０を成す第２クラスプ部７０Ｂは、紐状体端部保持部材７１Ｂと、外装体７３Ｂと、を有している。
紐状体端部保持部材７１Ｂは、軟質性紐状体１０の他端側１０ｂに係止される。そして、この軟質性紐状体１０の他端側１０ｂには、位置決め形状部７８Ｂが形成されている。
【００８１】
本実施形態では、位置決め形状部７８Ｂは軟質性紐状体１０の直径方向に貫通する貫通孔からなる。本実施形態において、この位置決め形状部７８Ｂは、異方性磁石２０ａ、２０ｂの着磁方向（磁石の主たる磁束線の方向）を表示している。即ち、位置決め形状部７８Ｂを成す貫通孔は、軟質性紐状体１０を捻らない状態において、その貫通方向Ｍ５が、図３、図４に示す異方性磁石２０ａ、２０ｂの磁化方向（着磁方向）Ｍ１に対して平行な状態になっている。
【００８２】
外装体７３Ｂは、第１クラスプ部７０Ａに形成された永久磁石（係着手段）７２が吸着可能な強磁性体材料、例えば鋼板によって形成されている。これにより、第１クラスプ部７０Ａと第２クラスプ部７０Ｂとが磁力により吸着する。
【００８３】
そして、本実施形態のように、軟質性紐状体１０の他端側１０ｂに形成された位置決め形状部７８Ｂは、後述する本発明の磁気治療具の製造方法における着磁工程において、着磁によって異方性磁石２０ａ、２０ｂとなる磁石材に対して、高さ方向（Ｚ方向）に沿って正確に磁化方向（着磁方向）Ｍ１を設定することに寄与する。また、この着磁工程の後に第２クラスプ部７０Ｂを形成することによって、位置決め形状部７８Ｂを外部から視認することができなくなるため、磁気治療具５の美観を向上させることができる。
【００８４】
なお、本実施形態では、軟質性紐状体１０の一端側１０ａおよび他端側１０ｂにそれぞれ直接形成した位置決め形状部７８Ａ，７８Ｂを、着磁工程後にも残している場合を示したが、これ以外にも、例えば、この位置決め形状部７８Ａ，７８Ｂが形成された軟質性紐状体１０の端部領域を切断してから第１クラスプ部７０Ａおよび第２クラスプ部７０Ｂを形成する構成であってもよい。
【００８５】
「磁気治療具の製造方法、第１実施形態」
本発明の第１実施形態の磁気治療具の製造方法について説明する。
なお、この第１実施形態の磁気治療具の製造方法では、図６に示す第１実施形態のクラスプ部３０を有する磁気治療具１の着磁工程を説明する。
図１１は、第１実施形態の磁気治療具の製造方法の一部である着磁工程を示す模式図である。
図６に示す第１実施形態のクラスプ部３０を有する磁気治療具１（未着磁）に収容された着磁前の異方性磁石２０ａ、２０ｂである異方性磁石材２０ｍに着磁を行う着磁工程では、異方性磁石材２０ｍを収容した磁気治療具１（未着磁）を着磁器１００にセットする。
【００８６】
この着磁器１００には、着磁させる磁気治療具１（未着磁）の第１クラスプ部３０Ａおよび第２クラスプ部３０Ｂにそれぞれ形成された位置決め形状部３８Ａ，３８Ｂを成す貫通孔に挿入（当接）可能な突起からなる着磁位置固定形状部１０１，１０１が形成されている。この着磁位置固定形状部１０１，１０１を成す突起は、着磁器１００による着磁方向Ｍ１に対して平行な方向に突出している。
【００８７】
磁気治療具１（未着磁）を着磁器１００にセットする際には、第１クラスプ部３０Ａおよび第２クラスプ部３０Ｂにそれぞれ形成された位置決め形状部３８Ａ，３８Ｂを成す貫通孔に、着磁器１００の着磁位置固定形状部１０１，１０１を成す突起を挿入するようにセットする。これにより、磁気治療具１（未着磁）に収容された異方性磁石材２０ｍの高さ方向（Ｚ方向：図３、４参照）が、着磁器１００の着磁方向Ｍ１に対して正確に平行になるようにセットすることができる。
【００８８】
そして、この状態で着磁器１００を動作させて着磁を行うことによって、長尺で捻じれやすい軟質性紐状体１０に収容された異方性磁石材２０ｍに対して、所定の着磁方向（高さ方向（Ｚ方向））に沿って正確に着磁することができる。これにより、予め設定した着磁方向に沿って正確に着磁された異方性磁石２０ａ、２０ｂを収容した磁気治療具１を製造することができる。
【００８９】
なお、本実施形態では、磁気治療具１の第１クラスプ部３０Ａおよび第２クラスプ部３０Ｂの両方を着磁器１００の着磁位置固定形状部１０１，１０１によって係着させる例を示したが、これ以外にも、磁気治療具１の第１クラスプ部３０Ａまたは第２クラスプ部３０Ｂのいずれか一方だけを着磁器１００着磁位置固定形状部１０１に係着させる構成であってもよい。
【００９０】
また、上述した係着工程で用いる着磁器を第２実施形態に示す磁気治療具２（図７参照）に適用する場合には、位置決め形状部４８Ａ，４８Ｂを成す円筒形の凹部に嵌合する突起からなる着磁位置固定形状部を備えた着磁器を用いればよい。
また、上述した係着工程で用いる着磁器を第３実施形態に示す磁気治療具４（図８参照）に適用する場合には、位置決め形状部５８Ａ，５８Ｂを成す平坦面に当接する平面領域からなる着磁位置固定形状部を備えた着磁器を用いればよい。
【００９１】
「磁気治療具の製造方法、第２実施形態」
本発明の第２実施形態の磁気治療具の製造方法について説明する。
なお、この第２実施形態の磁気治療具の製造方法では、図１０に示す第５実施形態の磁気治療具５のような、軟質性紐状体の第１紐状部材の端部に直接、位置決め形状部を成す貫通孔が形成されたものに第２紐状部材を成形する第２紐状部材成形工程を説明する。
図１２は、第２実施形態の磁気治療具の製造方法の一部である第２紐状部材成形工程を段階的にした断面図である。
第２紐状部材成形工程では、既に前工程で形成した第１紐状部材１１の凹状磁石支持部１２に、異方性磁石材２０ｍ，２０ｍ…を挿入した中間成形体Ｒを、第２紐状部材成形用金型１１０にセットする（図１２（ａ）参照）。第２紐状部材成形用金型１１０の両端部には、それぞれ成形位置固定形状部１１１，１１１が一体に形成されている。この成形位置固定形状部１１１，１１１は、例えば、異方性磁石材２０ｍの高さ方向（Ｚ方向：図３、４参照）に対して平行に方向に延びる突起からなる。
【００９２】
第２紐状部材成形用金型１１０にセットする際には、軟質性紐状体１０を構成する第１紐状部材１１の一端側１０ａおよび他端側１０ｂにそれぞれ形成された位置決め形状部７８Ａ，７８Ｂを成す貫通孔に対して、第２紐状部材成形用金型１１０の成形位置固定形状部１１１，１１１を成す突起を挿入するようにセットする。これにより、中間成形体Ｒは、第１紐状部材１１の一端側１０ａおよび他端側１０ｂの両方で第２紐状部材成形用金型１１０に固定され、第２紐状部材成形用金型１１０の内部で挿入位置がズレたり、捻じれたりすることが無い。
【００９３】
そして、第２紐状部材成形用金型１１０内に第２紐状部材１５を成す硬化前の樹脂を導入することにより、第１紐状部材１１に接合された第２紐状部材１５が成形される（図１２（ｂ）参照）。こうした第２紐状部材１５の成形時において、第１紐状部材１１は、一端側１０ａおよび他端側１０ｂの両方で第２紐状部材成形用金型１１０に固定されるので、捻じれの無い軟質性紐状体１０を成形することが可能になる。
【００９４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１…磁気治療具
１０…軟質性紐状体
１１…第１紐状部材
１５…第２紐状部材
２０ａ、２０ｂ…異方性磁石（磁石）
３０…クラスプ部
３０Ａ…第１クラスプ部
３０Ｂ…第２クラスプ部
３１…紐状体端部保持部材
３８Ａ，３８Ｂ…位置決め形状部
【図１】
2019071953.tif 000003
【図２】
2019071953.tif 000004
【図３】
2019071953.tif 000005
【図４】
2019071953.tif 000006
【図５】
2019071953.tif 000007
【図６】
2019071953.tif 000008
【図７】
2019071953.tif 000009
【図８】
2019071953.tif 000010
【図９】
2019071953.tif 000011
【図１０】
2019071953.tif 000012
【図１１】
2019071953.tif 000013
【図１２】
2019071953.tif 000014